(57)【特許請求の範囲】
【請求項１】
施療子を駆動させるマッサージ機構を背凭れ部に内装したマッサージ椅子の前記背凭れ部の前面を被覆する開閉式背凭れカバーであって、前記背凭れ部の前面上部に棒状ロール部材を一方向にスプリング付勢した状態に回転可能に架設し、この棒状ロール部材に前記背凭れ部の前面を被覆し得るカバー部材を前記スプリング付勢に抗して引き下げ可能に巻回し、前記棒状ロール部材に、前記カバー部材を前記背凭れ部を覆う長さまで引き下げた状態までの回転を施した状態で、前記棒状ロール部材の回転をロックさせるロック機構を設けるとともに、前記ロック機構に、当該棒状ロール部材を前記ロック状態から元位置に復帰させる解除機構を設けて構成することを特徴とする開閉式背凭れカバー。
【発明の詳細な説明】
【０００１】
【産業上の利用分野】
本発明は、マッサージ椅子の背凭れの前面を容易に被覆或いは解放させることができるようにして、施療子等の人体に対する当接力を必要に応じて緩和するよう調節可能で、マッサージ機としての使用をしない場合のカバーとしても用いることができる開閉式背凭れカバーに関するものである。
【０００２】
【従来の技術】
通常のマッサージ椅子は、その背凭れ内部に、施療子で人体背部に対する揉みや叩き等の動作を行うことができるマッサージ機構を具備しており、これら施療子が背凭れ前面に突出し得る状態の構造にしている。
【０００３】
そのため、通常のマッサージ機として使用する場合に、その施療子の当接力が強い場合には、この当接力を緩和させるべく、背凭れ部の前面側にカバーを付設して使用しているのが一般的である。
【０００４】
また、マッサージ機としての使用をせず、通常の椅子として使用する場合においては、施療子が背凭れ前面に突出しているため、使用者の背部に違和感があり、リラックスした状態での着座ができないため、この状態においても通常はカバーをして、該施療子部分を被覆するようにしている。
【０００５】
ところで、この背凭れ部前面に被覆されるカバーは、通常、背凭れ部の背部上端とカバーをファスナー等で連結するか又は縫製して連結しており、カバー使用時に背凭れ前面側に垂掛させて被覆し、カバーの不使用時には、背凭れ前面を解放させるようカバーを後部側に復帰させるという作業を行っていた。
【０００６】
【発明が解決しようとする課題】
上記のような、従来のマッサージ椅子の背凭れ部のカバーにおいては、カバー位置を背凭れ部の前面側や後部側に手作業で行わなければならないため、面倒であり、しかも、前面側にカバーを被覆させている場合には特に問題はないのであるが、後部側にカバーを垂下させた場合には、見栄えが悪く、美観を損なうという問題があった。
【０００７】
本発明は、上記のような問題点に鑑みてなされたものであり、マッサージ椅子の背凭れの前面を容易に被覆或いは解放させることができるようにして、施療子等の人体に対する当接力を必要に応じて緩和するよう調節可能で、マッサージ機としての使用をしない場合においても、見栄え良く収納させることができる開閉式背凭れカバーを提供することを目的としてなされたものである。
【０００８】
【発明が解決しようとする課題】
すなわち、本発明の開閉式背凭れカバーは、施療子を駆動させるマッサージ機構を背凭れ部に内装したマッサージ椅子の前記背凭れ部の前面を被覆する開閉式背凭れカバーであって、前記背凭れ部の前面上部に棒状ロール部材を一方向にスプリング付勢した状態に回転可能に架設し、この棒状ロール部材に前記背凭れ部の前面を被覆し得るカバー部材を前記スプリング付勢に抗して引き下げ可能に巻回し、前記棒状ロール部材に、前記カバー部材を前記背凭れ部を覆う長さまで引き下げた状態までの回転を施した状態で、当該棒状ロール部材の回転をロックさせるロック機構を設けるとともに、前記ロック機構に、前記棒状ロール部材を前記ロック状態から元位置に復帰させる解除機構を設けて構成することを特徴とするものである。
【００１０】
前記カバー部材は、例えば、合成繊維等のような緩衝性を有する素材から構成することができる。
【００１１】
前記棒状ロール部材は、例えば、回転芯を非回転内軸と回転外軸とこれら両者間に介設されるスプリングとで構成とし、該回転外軸がその回転に伴いスプリングに復元力を付与し得るように構成することができる。
【００１２】
前記ロック機構及び解除機構は、例えば、上記非回転内軸の適所に、上記回転外軸を係止又は解放することのできる出没可能な係止部材により兼用できるよう構成することができる。
【００１３】
【作用】
上記のような構成を採用することにより次のような作用をもたらす。すなわち、本発明の開閉式背凭れカバーは、カバー部材を背凭れ部を覆う長さまで引き下げることでカバー部材が垂下状態にロックされ、背凭れ部の前面をカバー部材で被覆した状態に維持させることができ、かつ、カバー部材をさらに棒状ロール部材から若干引き下げることで棒状ロール部材のロック状態が解除され、棒状ロール部材を元位置に復帰させてカバー部材を自動的に巻き上げて収納し、背凭れ部の前面を開放させた状態にすることができる。
【００１５】
【発明の実施の態様】
以下、本発明の開閉式背凭れカバーについて、その一実施例を示す図面に基づいて詳細に説明する。
図１は、本発明の開閉式背凭れカバー１の一実施例１を示したものであり、該背凭れカバー１は、施療子を駆動させるマッサージ機構（図示せず）を背凭れ部２に内装したマッサージ椅子の背凭れ部２上部に架設されて一方向にスプリング付勢された背凭れ幅と略同幅の棒状ロール部材１１と、該ロール部材１１にこの一端が接続された背凭れ高さと略同長さのカバー部材１２とで構成されている。
【００１６】
前記棒状ロール部材１１は、上記背凭れ部２の上部適所の例えば前面側上端に予め配設された支持部材２１に可回転に保持されている。
【００１７】
すなわち、前記支持部材２１の左右に一対の保持板１１１を対向状且つ垂下状に固設し、各保持板１１１・１１１に設けられた各保持孔１１２・１１２に、前記棒状ロール部材１１の回転軸芯両側を可回転に保持して、該棒状ロール部材１１が回転し得るように構成している。
【００１８】
前記棒状ロール部材の１１のスプリング付勢の手段は、言及しないが、例えば前記回転軸芯を、非回転内軸と回転外軸との二重に構成すると共に、これら両軸間に復元力を有するスプリング等の部材を介設して、該回転外軸がその回転に伴う反転力を発揮して元位置に復帰できるようにすることができる。
【００１９】
また、前記棒状ロール部材１１の回転軸芯には、図示しないが、係止部材等によって構成されるロック機構が設けられており、該ロック機構により、棒状ロール部材１１が一定の回転（カバー部材１２を背凭れ部２を覆う長さまで引き下げた状態までの回転）を施した状態で、棒状ロール部材１１が回転せず、しかもこの位置でロール部材１１が復帰しないようにすることができる。
【００２０】
また前記ロック機構には、前記棒状ロール部材１１を上記のロック状態から元位置に復帰させるための解除機構を備えることで、一定の回転を施した棒状ロール部材１１を元位置に復帰するようにすることができる。このロック機構は、具体的には、例えば前記非回転内軸の適所に、上記回転外軸を掛止又は解放することのできる出没可能な掛止部材を設けることで構成することができる。
【００２１】
前記カバー部材１２は、例えば、クッション性（緩衝性）を有する合成繊維等の素材で、前記背凭れ２の前面を覆い得るよう背凭れ幅と略同幅で背凭れ高さと略同長さに形成されたものであり、該カバー部材１２の長さ方向一端縁全域を前記棒状ロール部材１１に固着している。
【００２２】
前記カバー部材１２の他端側には、図示したような把持用棒１２１を設けてもよく、該把持用棒１２１を設けることで、使用者がカバー部材を引っ張り易くすることができると共にその重量により、背凭れ部２の前面で安定した被覆を行える。
【００２３】
上記のように構成することで、使用者は、カバー部材１２を座方向に容易に引き下げることで、その位置でロック機構が作用して背凭れ部２の前面をカバー部材１２で被覆した状態で維持させることができ、再度使用者が座方向にカバー部材１２を引き下げることでロック機構（又は解除機構）が解除され、カバー部材１２は棒状ロール部材１１により自動的に巻き上げられ、背凭れ部前面を解放した状態にすることができるのである。
【００２４】
【発明の効果】
よって、本発明の開閉式背凭れカバーは、マッサージ椅子の背凭れ部の前面側を被覆し得るカバー部材を棒状ロール部材により、容易に巻出或いは巻上できるように構成しているため、従来のカバーとは異なり、マッサージ機としての使用をせず通常の椅子として使用する場合においては、カバー部材を引き下げるだけで容易に背凭れ前面を覆うことができ、またマッサージ機として使用する場合には、カバー部材を容易に巻上げて使用することができ、施療子との当接力を使用者の好みにより任意に可変させることができる。
【００２５】
また、本発明は、背凭れ部前面に被覆されるカバーを、背凭れ部の背部上端とカバーをファスナー等で連結したり縫製して連結した従来のものとは異なり、元位置復帰可能で可回転の棒状ロール部材により、カバー部材を背凭れ部の前面側のみで引き出し、自動収納できるようにしたものであるから、カバー使用時に背凭れ前面側に垂掛させて被覆し、カバーの不使用時には、背凭れ前面を解放させるようカバーを後部側に回すといった煩雑な作業を要することもなく、また、見栄えが良く、美観を損なうこともない。
【００２６】
よって本発明は、施療子と接触する使用者の人体背部の違和感を使用者の必要に応じて容易に調節できる価値高いものである。
【図面の簡単な説明】
【図１】本発明の開閉式背凭れカバーの一実施例を示した説明図である。
【符号の説明】
１  開閉式背凭れカバー
１１  棒状ロール部材
１２  カバー部材
２  背凭れ部
【図１】
0004125807.tif 000002